(57)【要約】【課題】キャビネット本体内に収納設置されている電気機器に対して作業する際、キャビネット本体の天板や左右の側板が邪魔になったりせず、十分な作業スペースを確保することができる電気機器収納用キャビネットを提供する。【解決手段】レール部材に側面視釣り針状の案内溝２５を設ける一方、キャビネット本体２の側板６の内面に案内ねじ７を設けており、レール部材２１をキャビネット本体２内での収納状態から案内溝２５に沿って上方へスライドさせることにより切り欠き２６と固定ねじ８との係止を解除した後、案内ねじ７を中心として前方へ揺動させながら案内溝２５に沿って前方へ引き出し、更に案内溝２５に沿って下方へスライドさせることにより、レール部材２１の下部を開口からキャビネット本体２の外側へ突出可能とした。【選択図】図４
2013013203.tif 000002
【特許請求の範囲】
【請求項１】
前面に開口を有する方形箱状のキャビネット本体内に、電気機器を設置するためのレール部材を収納してなる電気機器収納用キャビネットであって、
前記レール部材が、上下方向に長い柱状の一対の支持部材と、前記支持部材間を左右方向で連結する機器設置部材とを有する正面視略Ｈ字状に形成されており、
前記支持部材に、前記キャビネット本体内への収納時において、前記キャビネット本体の側板の内面に当接する板状の案内部及び係止部を、前記案内部の方が前記係止部よりも上方となるように夫々設け、
前記案内部又は前記側板の内面の何れか一方に案内軸を、他方に前記案内軸が挿通可能で、上下方向に延びる前後一対の溝部と両前記溝部の端部同士を前後方向で連結する溝部とを有する側面視略釣り針状の案内溝を夫々設ける一方、
前記係止部の下辺部に下方へ開口する切り欠きを、前記側板に前記切り欠きに係止可能な係止軸を夫々設けており、
前記レール部材は、前記案内軸が前記案内溝の一方の端部に位置するとともに、前記係止軸が前記切り欠きに係止している状態において、前記キャビネット本体内で固定されている一方、
当該状態から前記案内溝に沿って上方へスライドさせることにより前記切り欠きと前記係止軸との係止を解除した後、前記案内軸を中心として前方へ揺動させながら前記案内溝に沿って前方へ引き出し、更に前記案内溝に沿って下方へスライドさせることにより、前記レール部材の少なくとも下部を前記開口から前記キャビネット本体の外側へ突出させることができることを特徴とする電気機器収納用キャビネット。
【請求項２】
前記支持部材の下端部に、更に下方へ突出する支持部を設けており、
前記レール部材を前記案内溝に沿って下方へスライドさせた後、前記案内軸を中心として後方へ揺動させることにより、前記支持部が前記キャビネット本体の底板の前縁に当接し、前記レール部材が、少なくとも下部を前記開口から前記キャビネット本体の外側へ突出させた姿勢で支持されることを特徴とする請求項１に記載の電気機器収納用キャビネット。
【発明の詳細な説明】
【技術分野】
【０００１】
本発明は、たとえば回路遮断器を収納する分電盤等に使用される電気機器収納用キャビネットに関するものである。
【背景技術】
【０００２】
従来、電気機器収納用キャビネットとしては種々のものが考案されており、たとえば特許文献１に開示されているようなものがある。このような電気機器収納用キャビネットでは、電気機器をキャビネット本体内に収納設置した状態において結線作業する場合等が想定されるため、そのような作業時における作業スペースの確保が望まれている。そこで、特許文献１に開示されている電気機器収納用キャビネットによれば、電気機器を設置するためのレール部材をキャビネットの背板に対して所定方向へ揺動可能に取り付けており、上述したような作業時にはレール部材を揺動させることによって作業スペースを確保可能としている。
【先行技術文献】
【特許文献】
【０００３】
【特許文献１】特開２００８−２３６８３８号公報
【発明の概要】
【発明が解決しようとする課題】
【０００４】
しかしながら、特許文献１に開示されているように、キャビネット本体内においてレール部材をただ単に揺動させるだけでは、依然としてキャビネット本体の天板や左右の側板が作業の邪魔になりやすいという問題がある。
【０００５】
そこで、本発明は、上記問題に鑑みなされたものであって、キャビネット本体内に収納設置されている電気機器に対して作業する際、キャビネット本体の天板や左右の側板が邪魔になったりせず、十分な作業スペースを確保することができる電気機器収納用キャビネットを提供しようとするものである。
【課題を解決するための手段】
【０００６】
上記目的を達成するために、本発明のうち請求項１に記載の発明は、前面に開口を有する方形箱状のキャビネット本体内に、電気機器を設置するためのレール部材を収納してなる電気機器収納用キャビネットであって、前記レール部材が、上下方向に長い柱状の一対の支持部材と、前記支持部材間を左右方向で連結する機器設置部材とを有する正面視略Ｈ字状に形成されており、前記支持部材に、前記キャビネット本体内への収納時において、前記キャビネット本体の側板の内面に当接する板状の案内部及び係止部を、前記案内部の方が前記係止部よりも上方となるように夫々設け、前記案内部又は前記側板の内面の何れか一方に案内軸を、他方に前記案内軸が挿通可能で、上下方向に延びる前後一対の溝部と両前記溝部の端部同士を前後方向で連結する溝部とを有する案内溝を夫々設ける一方、前記係止部の下辺部に下方へ開口する切り欠きを、前記側板に前記切り欠きに係止可能な係止軸を夫々設けており、前記レール部材は、前記案内軸が前記案内溝の一方の端部に位置するとともに、前記係止軸が前記切り欠きに係止している状態において、前記キャビネット本体内で固定されている一方、当該状態から前記案内溝に沿って上方へスライドさせることにより前記切り欠きと前記係止軸との係止を解除した後、前記案内軸を中心として前方へ揺動させながら前記案内溝に沿って前方へ引き出し、更に前記案内溝に沿って下方へスライドさせることにより、前記レール部材の少なくとも下部を前記開口から前記キャビネット本体の外側へ突出させることができることを特徴とする。
請求項２に記載の発明は、請求項１に記載の発明において、前記支持部材の下端部に、更に下方へ突出する支持部を設けており、前記レール部材を前記案内溝に沿って下方へスライドさせた後、前記案内軸を中心として後方へ揺動させることにより、前記支持部が前記キャビネット本体の底板の前縁に当接し、前記レール部材が、少なくとも下部を前記開口から前記キャビネット本体の外側へ突出させた姿勢で支持されることを特徴とする。
【発明の効果】
【０００７】
本発明によれば、レール部材をキャビネット本体内での収納状態から案内溝に沿って上方へスライドさせることにより切り欠きと係止軸との係止を解除した後、案内軸を中心として前方へ揺動させながら案内溝に沿って前方へ引き出し、更に案内溝に沿って下方へスライドさせることにより、レール部材の少なくとも下部を開口からキャビネット本体の外側へ突出させることができる。したがって、レール部材全体がキャビネット本体内に位置していた従来と比較して、レール部材に設置された電気機器の周囲に広いスペースを確保することが可能となり、たとえば結線作業等を容易に行うことができる。
また、レール部材を揺動させたりスライドさせるに際しての案内構造が案内軸及び案内溝により構成されているため、部品点数が多くなる一般的な案内構造と比較して構造が簡易であり、製造コストの低コスト化、組み立て作業の容易化等をも図ることができる。加えて、案内構造をレール部材の左右両側部に設けているため、中央部分、すなわち機器設置部分に広いスペースを確保することができ、電気機器に対する結線作業等を一層容易に行うことができる。
さらに、請求項２に記載の発明によれば、支持部材の下端部に、更に下方へ突出する支持部を設けることで、レール部材を、少なくとも下部を開口からキャビネット本体の外側へ突出させた姿勢で支持可能としている。したがって、たとえば結線作業時等にレール部材を安定させることができ、そのような作業を極めて容易に行うことができる。
【図面の簡単な説明】
【０００８】
【図１】前扉を取り外した状態の電気機器収納用キャビネットを示した斜視説明図である。
【図２】レール部材を示した斜視説明図である。
【図３】レール部材が引き出された状態にある電気機器収納用キャビネットを示した斜視説明図である。
【図４】キャビネット本体内に収納されて固定状態にあるレール部材を、キャビネット本体外まで引き出す様子を示した説明図である。
【図５】キャビネット本体内に収納されて固定状態にあるレール部材を、キャビネット本体外まで引き出した様子を示した説明図である。
【発明を実施するための形態】
【０００９】
以下、本発明の一実施形態となる電気機器収納用キャビネット（以下、単にキャビネットと称す）について、図面にもとづき詳細に説明する。
【００１０】
図１は、前扉を取り外した状態のキャビネット１を示した斜視説明図である。図２は、レール部材２１を示した斜視説明図であり、図３は、レール部材２１が引き出された状態にあるキャビネット１を示した斜視説明図である。
キャビネット１は、前面に開口を有する方形箱体状のキャビネット本体２と、キャビネット本体２に取り付けられ、その前面の開口を開閉する図示しない前扉と、キャビネット本体２内に収納可能で、回路遮断器等の各種電気機器を設置可能なレール部材２１とを備えてなる。キャビネット本体２は、天板３、底板４、背板５、及び左右の側板６、６を一体的に組み付けてなる。そして、各側板６の内面側における上部には、レール部材２１を引き出す際に案内するための案内ねじ７が、各側板６の内面側における下部には、レール部材２１を収納状態で固定するための固定ねじ８が夫々ナット９に螺着されている。尚、案内ねじ７と固定ねじ８とは、後述する図４に示すように、上下方向で一直線状に並んでいる。すなわち、両ねじ７、８は、背板５から前方側へ同じ距離だけ離れた位置に螺着されている。
【００１１】
一方、レール部材２１は、上下方向に長い柱状に形成された左右一対の支持部材２２、２２と、該支持部材２２、２２同士を左右方向で連結する機器設置部材２３とを正面視略Ｈ字状に組み付けてなる金属製部材である。各支持部材２２は、本体部２２ａと、本体部２２ａの上端部に設けられた案内部２２ｂと、本体部２２ａの下端部に設けられた係止部２２ｃと、係止部２２ｃから延設された支持部２２ｄとを備えてなり、案内部２２ｂの上端から支持部２２ｄの下端まで含めた支持部材２２全体の上下方向長さは、キャビネット本体２の天板３と底板４との間の距離よりも短くなっている（図４に示す）。なお、左右の支持部材２２、２２は鏡面対称形状となっている。
【００１２】
本体部２２ａは上下方向に長い帯状体であって、３つのネジ孔２４、２４・・が上下方向に並設されており、機器設置部材２３を所望の高さ位置でネジ止め可能となっている。また、案内部２２ｂは、本体部２２ａ上端部の左右方向外側に設けられた板状部で、前方へ略９０度折り曲げられている。そして、該案内部２２ｂには、上下方向に延びる前側の溝部及び後側の溝部と両溝部の下端部同士を前後方向で連結する溝部とからなる側面視釣り針状の案内溝２５が設けられている。案内溝２５は、案内ねじ７の軸部を挿通可能な幅を有しており、後側の上下方向長さが前側の上下方向長さよりも長く形成されている。
【００１３】
さらに、係止部２２ｃは、本体部２２ａ下端部の左右方向外側に設けられた板状部で、案内部２２ｂ同様に前方へ略９０度折り曲げられている。そして、該係止部２２ｃの下辺先端側で、案内溝２５の前側の溝部の下方となる位置には、下方へ開口する切り欠き２６が形成されている。そして、該切り欠き２６内には、固定ねじ８の軸部が進入し係止可能となっている。尚、切り欠き２６の上下方向での深さは、案内溝２５の前側の溝部の上下方向長さよりも浅くなっている。
また、係止部２２ｃの下辺基端側に、支持部２２ｄが設けられている。支持部２２ｄは、係止部２２ｃの下辺から左右方向内側へ突設された後、下側へ折り曲げられてなる正面視Ｌ字状の舌片として形成されている。尚、支持部２２ｄの内側への突出量（係止部２２ｃからの突出量）は、側板６からの固定ねじ８の突出量（緩めた状態における固定ねじ８の突出量）よりも大きくなっている。
【００１４】
加えて、機器設置部材２３は左右方向へ長い帯状体であって、その中央部には、左右方向へ長い長孔２７、２７・・が複数連設されており、該長孔２７等を利用して回路遮断器等の各種電気機器を設置可能となっている。尚、機器設置部材２３の左右方向長さは、キャビネット本体２の左右方向長さ（左右の側板６、６間の距離）と略同じとなっている。
【００１５】
上記支持部材２２、２２及び機器設置部材２３からなるレール部材２１は、支持部材２２、２２を、その本体部２２ａを内側に、案内部２２ｂや係止部２２ｃを外側に夫々向けた姿勢で対向させ、機器設置部材２３を支持部材２２、２２間に架設し、本体部２２ａ、２２ａの前面同士を連結することによって組み立てられる。また、このようにして組み立てられるレール部材２１は、各支持部材２２の案内溝２５に案内ねじ７の軸部を挿通させ、その軸部を案内溝２５の前側の溝部の上端部に位置させるとともに、係止部２２ｃの切り欠き２６に固定ねじ８の軸部を係止させた状態で、両ねじ７、８を締め付けることにより、キャビネット本体２内に収納状態で固定されている。そして、該固定状態においては、各支持部材２２の案内部２２ｂ及び係止部２２ｃの外側面が側板６の内面に夫々当接している。
【００１６】
以上のようにしてキャビネット本体２内に収納されるレール部材２１の使用形態について、図４及び図５をもとに説明する。図４及び図５は、キャビネット本体２内に収納されて固定状態にあるレール部材２１を、キャビネット本体２外まで引き出す様子を示した説明図であり、図４及び図５中のＡは、機器設置部材２３に設置された電気機器である。
レール部材２１は、上述したような状態でキャビネット本体２内に固定されている（図４（ａ））。ここで、まず案内ねじ７及び固定ねじ８を緩めた後、案内溝２５の前側の溝部に沿ってレール部材２１を上方へスライドさせ、案内ねじ７を案内溝２５の前側の溝部の下端に位置させるとともに、固定ねじ８の切り欠き２６への係止状態を解除する（図４（ｂ））。次に、案内ねじ７を軸としてレール部材２１の下側（係止部２２ｃや支持部２２ｄ側）を前方へ揺動させるとともに、案内溝２５の前側の溝部と後側の溝部とを繋ぐ連結部に沿ってレール部材２１全体を前方へスライドさせて引き出し、案内ねじ７を案内溝２５の後側の溝部の下端に位置させる（図４（ｃ））。このとき、支持部２２ｄは、上述の如く内側へ折り曲げられたＬ字状に形成されているため、固定ねじ８の先端よりもキャビネット本体２内側を移動することになり、支持部２２ｄと固定ねじ８とは干渉しない。
【００１７】
さらに、レール部材２１を、案内溝２５の後側の溝部に沿って下方へスライドさせ、案内ねじ７を案内溝２５の後側の溝部の上端部に位置させる（図４（ｄ））。最後に、案内ねじ７を軸として、レール部材２１を後方へ揺動させ、支持部２２ｄをキャビネット本体２の底板４の前縁に当接させればよい。すると、図５に示すように、レール部材２１は、その下部がキャビネット本体２の開口から外側へ突出する傾斜姿勢で支持されることになる。
尚、図４（ａ）に示す状態、すなわちレール部材２１をキャビネット本体２内に収納し固定するには、上述した手順とは逆の手順を踏めばよい。
【００１８】
以上のような構成を有するキャビネット１によれば、上下方向に長い柱状の一対の支持部材２２、２２と、支持部材２２、２２間に架設される機器設置部材２３とを有するレール部材２１を備え、各支持部材２２の上端部に、上下方向に延びる一対の溝部と両溝部の下端部同士を前後方向で連結する溝部とを有する側面視釣り針状の案内溝２５を有する板状の案内部２２ｂを、下端部に、下辺先端部に下方へ開口する切り欠き２６を有する板状の係止部２２ｃを夫々上下方向へ長い帯状の本体部２２ａから前方へ折り曲げて設ける一方、キャビネット本体２の側板６、６の内面に案内ねじ７及び固定ねじ８を螺着しており、案内ねじ７の軸部を案内溝２５の前側の溝部に挿通させるとともに、固定ねじ８を切り欠き２６内に進入させて係止させた状態で両ねじ７、８を締め付けることによって、レール部材２１をキャビネット本体２内に収納した状態で固定している。そして、レール部材２１を上述したように操作する、すなわち案内溝２５の形状に沿った上下方向へのスライド操作及び案内ねじ７を軸とした揺動操作することにより、レール部材２１の下部をキャビネット本体２の開口から外側へ突出可能としている。したがって、レール部材全体がキャビネット本体内に位置していた従来と比較して、機器設置部材２３に設置された電気機器Ａの周囲に広いスペースを確保することが可能となり、たとえば結線作業等を容易に行うことができる。
【００１９】
また、レール部材２１を揺動させたりスライドさせるに際しての案内構造が案内ねじ７及び案内溝２５により構成されているため、部品点数が多くなる一般的な案内構造と比較して構造が簡易であり、製造コストの低コスト化、組み立て作業の容易化等をも図ることができる。さらに、案内構造をレール部材２１の左右両側部に設けているため、中央部分、すなわち機器設置部分に広いスペースを確保することができ、電気機器Ａに対する各種作業を一層容易に行うことができる。
加えて、各支持部材２２の係止部２２ｃに、内側へ突出した後に下方へ折り曲げられた正面視Ｌ字状の支持部２２ｄを設けており、レール部材２１の下部をキャビネット本体２の開口から外側に突出させた後、該支持部２２ｄをキャビネット本体２の底板４の前縁に当接させることにより、レール部材２１を傾斜姿勢のまま支持可能としている。したがって、たとえば電気機器Ａに対する結線作業時等にレール部材２１を安定させることができ、そのような作業を極めて容易に行うことができる。
【００２０】
なお、本発明に係るキャビネットは、上記実施形態の態様に何ら限定されるものではなく、レール部材やキャビネット本体の構成について、必要に応じて適宜変更することができる。
【００２１】
たとえば、上記実施形態では、案内部２２ｂに案内溝２５を、側板６に案内ねじ７を夫々設けているが、案内部２２ｂに案内ねじ７を、側板６に案内溝２５を夫々設けたとしても構成可能である。なお、側板６に案内溝２５を設けるた場合、案内溝２５の形状は実施形態の形状と上下及び前後逆となる。
また、上記実施形態では、案内軸を案内ねじ７とするとともに、係止軸を固定ねじ８としており、案内ねじ７及び固定ねじ８を締め付けることによりレール部材２１を固定可能としているが、案内軸や係止軸に固定機能を備えずともよく（ねじ部を有さない軸のみを突設してもよい）、レール部材２１に別途固定のための構成要素を設けてもよい（たとえば本体部２２ａにレール部材２１を背板５へ固定するためのネジ孔を設ける等）。
さらに、上記実施形態では、係止部２２ｃから支持部２２ｄを突設しているが、支持部２２ｄの有無については適宜設計変更可能であるし、案内部２２ａや係止部２２ｃの位置についても本体部２２ａの上端及び下端に夫々限定されることはない。
加えて、案内溝２５の形状についても、上記実施形態では側面視釣り針状としているが、上下方向に延びる前後一対の溝部と該溝部の端部同士を連結した溝部とを有しているのであれば他の形状（たとえばＵ字状や逆Ｕ字状）であっても何ら問題はない。
【符号の説明】
【００２２】
１・・キャビネット、２・・キャビネット本体、３・・天板、４・・底板、５・・背板、６・・側板、７・・案内ねじ（案内軸）、８・・固定ねじ（係止軸）、２１・・レール部材、２２・・支持部材、２２ａ・・本体部、２２ｂ・・案内部、２２ｃ・・係止部、２２ｄ・・支持部、２３・・機器設置部材、２５・・案内溝、２６・・切り欠き。
【図１】
2013013203.tif 000003
【図２】
2013013203.tif 000004
【図３】
2013013203.tif 000005
【図４】
2013013203.tif 000006
【図５】
2013013203.tif 000007